(57)【要約】【課題】遊技板の装飾態様を従来にないものとする。【解決手段】前方に遊技球が進入する遊技領域１０２が形成される遊技板１０を備えた遊技機であって、前記遊技板１０は、光透過性を有する材料で形成された光透過部１１１を含み、前記遊技板１０の前面１１２よりも後方に光透過部１１１を通じて視認可能となる第一装飾面１３が形成されている遊技機１とする。このような構成とすることより、遊技板１０の前面に固定される遊技釘等の遊技部材２０によって装飾が剥離等してしまうのを防止することが可能である。【選択図】図３
2017093548.tif 000002
【特許請求の範囲】
【請求項１】
前方に遊技球が進入する遊技領域が形成される遊技板を備えた遊技機であって、
前記遊技板は、光透過性を有する材料で形成された光透過部を含み、前記光透過部を通じて視認可能となる第一装飾面が前記遊技板の前面よりも後方に形成されていることを特徴とする遊技機。
【請求項２】
前記遊技板の後面に前記第一装飾面が形成されていることを特徴とする請求項１に記載の遊技機。
【請求項３】
前記遊技板は、前側部分および当該前側部分よりも後方に位置する後側部分を有し、
前記前側部分と前記後側部分の間に前記第一装飾面が位置することを特徴とする請求項１に記載の遊技機。
【請求項４】
前記第一装飾面が位置する箇所よりも前方に位置する第二装飾面が形成されていることを特徴とする請求項１から請求項３のいずれか一項に記載の遊技機。
【請求項５】
前記遊技板は、前側部分、当該前側部分よりも後方に位置する中間部分、および当該中間部分よりも後方に位置する後側部分を有し、
前記中間部分と前記後側部分の間に前記第一装飾面が位置し、前記前側部分と前記中間部分との間に第二装飾面が位置することを特徴とする請求項１に記載の遊技機。
【発明の詳細な説明】
【技術分野】
【０００１】
本発明は、遊技板を備える遊技機に関する。
【背景技術】
【０００２】
下記特許文献１等に記載されるように、その前側に遊技球が流下する遊技領域を構成する遊技板には、種々の装飾が施される。
【先行技術文献】
【特許文献】
【０００３】
【特許文献１】特開２０１３−１８００７２号公報
【発明の概要】
【発明が解決しようとする課題】
【０００４】
本発明が解決しようとする課題は、遊技板の装飾態様を従来にないものとすることにある。
【課題を解決するための手段】
【０００５】
上記課題を解決するためになされた本発明にかかる遊技機は、前方に遊技球が進入する遊技領域が形成される遊技板を備えた遊技機であって、前記遊技板は、光透過性を有する材料で形成された光透過部を含み、前記光透過部を通じて視認可能となる第一装飾面が前記遊技板の前面よりも後方に形成されていることを特徴とする。
【０００６】
上記本発明にかかる遊技機によれば、遊技板の前面よりも後方に光透過部を通じて視認可能となる第一装飾部が形成されているから、遊技板の前面に固定される遊技釘等の遊技部材によって装飾が剥離等してしまうのを防止することが可能である。
【０００７】
前記遊技板の後面に前記第一装飾面が形成されているとよい。
【０００８】
このように、遊技板の後面に第一装飾面が形成されている構成とすれば、第一装飾面の構築が容易である。
【０００９】
前記遊技板は、前側部分および当該前側部分よりも後方に位置する後側部分を有し、前記前側部分と前記後側部分の間に前記第一装飾面が位置するとよい。
【００１０】
このように、遊技板を構成する前側部分と後側部分との間に挟まれるように第一装飾面を形成することができる。シールや印刷等によって装飾面を遊技板に固定するのではなく、装飾シートを前側部分と後側部分の間に挟み込むことによって第一装飾面を固定することも可能である。
【００１１】
前記第一装飾面が位置する箇所よりも前方に位置する第二装飾面が形成されているとよい。
【００１２】
このような構成とすれば、第一装飾面とそれよりも前方に位置する第二装飾面とによって立体的な装飾態様を構築することが可能である。
【００１３】
前記遊技板は、前側部分、当該前側部分よりも後方に位置する中間部分、および当該中間部分よりも後方に位置する後側部分を有し、前記中間部分と前記後側部分の間に前記第一装飾面が位置し、前記前側部分と前記中間部分との間に第二装飾面が位置するとよい。
【００１４】
このように、遊技板を構成する中間部分と後側部分、前側部分と中間部分との間に挟まれるように第一装飾面や第二装飾面を形成し、立体的な装飾態様を構築することが可能である。シールや印刷等によって装飾面を遊技板に固定するのではなく、装飾シートを中間部分と後側部分の間や前側部分と中間部分との間に挟み込むことによって第一装飾面や第二装飾面を固定することも可能である。
【発明の効果】
【００１５】
本発明にかかる遊技機によれば、遊技板による装飾態様を従来にないものとすることが可能である。
【図面の簡単な説明】
【００１６】
【図１】本発明の一実施形態にかかる遊技機を模式的に示した正面図である。
【図２】遊技板を模式的に示した分解斜視図である。
【図３】遊技板を模式的に示した外観斜視図である。
【図４】遊技板およびそれに固定された遊技部材を模式的に示した断面図である。
【図５】（ａ）は第一変形例にかかる遊技板を模式的に示した外観斜視図、（ｂ）は第一変形例にかかる遊技板およびそれに固定された遊技部材を模式的に示した断面図である。
【図６】（ａ）は第二変形例にかかる遊技板を模式的に示した外観斜視図、（ｂ）は第一変形例にかかる遊技板およびそれに固定された遊技部材を模式的に示した断面図である。
【図７】（ａ）は第三変形例にかかる遊技板を模式的に示した外観斜視図、（ｂ）は第二変形例にかかる遊技板およびそれに固定された遊技部材を模式的に示した断面図である。
【図８】（ａ）は第四変形例にかかる遊技板を模式的に示した外観斜視図、（ｂ）は第三変形例にかかる遊技板およびそれに固定された遊技部材を模式的に示した断面図である。
【図９】（ａ）は第五変形例にかかる遊技板を模式的に示した外観斜視図、（ｂ）は第四変形例にかかる遊技板およびそれに固定された遊技部材を模式的に示した断面図である。
【発明を実施するための形態】
【００１７】
以下、本発明にかかる遊技機１（ぱちんこ遊技機）の一実施形態について図面を参照して詳細に説明する。まず、図１を参照して遊技機１の全体構成について簡単に説明する。
【００１８】
遊技機１は遊技板１０を備える。遊技板１０は、ほぼ正方形の合板により成形されており、発射装置６２（発射ハンドル）の操作によって発射された遊技球を遊技領域１０２に案内する通路を構成するガイドレール１０３が略円弧形状となるように設けられている。
【００１９】
遊技領域１０２には、始動入賞口１０４、大入賞口１０６、アウト口１０７などが設けられている。表示装置９１の表示領域９１１は、遊技板１０に形成された開口１０１を通じて視認可能となる領域である。
【００２０】
また、遊技領域１０２には、流下する遊技球が衝突することにより遊技球の流下態様に変化を与える障害物としての遊技釘が複数設けられている。遊技領域１０２を流下する遊技球は、遊技釘に衝突したときの条件に応じて様々な態様に変化する。
【００２１】
このような遊技機１では、発射装置６２を操作することにより遊技領域１０２に向けて遊技球を発射する。遊技領域１０２を流下する遊技球が、始動入賞口１０４や大入賞口１０６等の入賞口に入賞すると、所定の数の賞球が払出装置により払い出される。
【００２２】
なお、遊技球を貯留する下皿や上皿、大当たりの抽選方法等、本発明に関係のない遊技機１の構成要素や制御態様については説明を省略する。これらについては公知の遊技機と同様の構造のものが適用できる。
【００２３】
以下、本実施形態にかかる遊技機１が備える遊技板１０を詳細に説明する。図１〜図４に示す遊技板１０は、全体として前後方向（遊技機１に正対する遊技者の視点方向。遊技者側を前とする）に直交する方向に沿って延びる板形状を呈する。具体的な遊技板１０の平面形状はどのようなものであってもよい。
【００２４】
図２〜図４に示すように、遊技板１０は、前側部分１１および当該前側部分１１よりも後方に位置する後側部分１２を有する。つまり、遊技板１０は、その厚み方向に分割されたものである。本実施形態では、前側部分１１と後側部分１２の両方とも全体として板形状を呈する。また、少なくとも前側部分１１は、光透過性を有する材料で形成された光透過部１１１を有する。本実施形態では、前側部分１１と後側部分１２の両方とも、光透過性を有する材料で形成された光透過部１１１、１２１を有する。詳細を後述する各種装飾面を透過させる必要がない部分は光透過性を有するものでなくてもよい。
【００２５】
前側部分１１と後側部分１２は、前側部分１１の後面と後側部分１２の前面が対向するようにして一体化されている。当該一体化を実現する構造はどのようなものであってもよい。ボルトやナット等の結合部材を用いて一体化された構造としてもよいし、透明な接着剤等を介して一体化された構造としてもよい。前側部分１１の後面と後側部分１２の前面の間には、装飾面（以下、後述する第二装飾面１５と区別するため第一装飾面１４と称する）が構築されている。なお、各図においては、装飾面を一定程度の厚みを有するものとして図示するが、実際には遊技板１０に比してきわめて薄いものである。
【００２６】
本実施形態における第一装飾面１４は、その前面に装飾が形成されたシートによって構成される。第一装飾面１４による装飾は、前側部分１１の光透過部１１１を通じて視認される。つまり、光透過部１１１の前面よりも後方に位置する第一装飾部によって遊技板１０が装飾された構成である。当該第一装飾面１４を構成するシートは、前側部分１１と後側部分１２の間に挟まれている。前側部分１１と後側部分１２を密着させることにより、第一装飾面１４を構成するシートの脱落を防止することができる。つまり、前側部分１１と後側部分１２の一方に固定（接合）しなくても、前側部分１１と後側部分１２に挟まれることにより脱落を防止することができる。なお、第一装飾面１４は、前面に装飾が形成されたシール部材（接着面が形成されたシート状の部材）や、印刷等によって構築してもよい。つまり、前側部分１１の後面または後側部分１２の前面にシール部材を貼付したり、印刷を施したりすることで、第一装飾面１４を構築してもよい。
【００２７】
前側部分１１の前面は、遊技板１０の前面を構成する。したがって、前側部分１１の前面には、遊技釘や入賞口（例えば、上述した始動入賞口１０４や大入賞口１０６）を構成する部材等、遊技領域１０２を構成する遊技に関する各種部材（遊技部材２０）が固定される（図４参照）。これらの遊技部材２０のうち、前後方向において第一装飾面１４に重なるように配置されるものは、第一装飾面１４に到達しないように前側部分１１に固定される。例えば遊技釘は、前側部分１１に打ち込まれることになるが、当該遊技釘の先端が第一装飾面１４より前方に位置するよう構成されている。
【００２８】
このように、本実施形態にかかる遊技機１は、第一装飾面１４は前側部分１１の光透過部１１１の前面（遊技板１０の前面）よりも後方に位置し、当該光透過部１１１を通じて遊技領域１０２を装飾する。前側部分１１の前面には各種遊技部材２０が固定されることになるところ、本実施形態では当該前面に装飾が施されたものではないため、遊技部材２０によって装飾が剥離、変形等してしまうことが抑制される。特に、本実施形態では、遊技部材２０は第一装飾面１４に到達しない構成であるため、当該剥離、変形等を抑制する効果に優れるものである。
【００２９】
以下、上記実施形態にかかる遊技機１（遊技板１０）の変形例について、上記実施形態と異なる点を中心に説明する。なお、以下で説明する各変形例を組み合わせて適用した遊技機（遊技板１０）としてもよい。また、以下の説明における各装飾面は、遊技板１０を構成する光透過部を通じて遊技者に視認可能となるものである。つまり、各装飾面よりも前に位置する遊技板１０を構成する部分は光透過部（１０１、１１１、１２１、１３１）である。
【００３０】
・第一変形例（図５参照）
上記実施形態では、遊技板１０が厚み方向に分割されたもの（前側部分１１と後側部分１２を有するもの）であり、前側部分１１と後側部分１２の間に第一装飾面１４が形成されていることを説明したが、遊技板１０がこのように分割されたものでなくてもよい。本例における遊技板１０は、厚み方向に分割されていない光透過部１０１を有する。そして、当該光透過部１０１の後面に第一装飾面１４が形成されている。第一装飾面１４の形成方法はどのようなものであってもよい。上記実施形態と異なり、第一装飾面１４は遊技板１０の後面に固定（接合）する必要がある。つまり、第一装飾面１４を構成するシート状の部材を貼付したり、第一装飾面１４を印刷等によって形成したりする必要がある。遊技部材２０は、第一装飾面１４に到達しないようにして遊技板１０に固定される（図５（ｂ）参照）。
【００３１】
このような構成としても、遊技板１０の前面に固定される遊技部材２０によって装飾が剥離、変形等してしまうことが抑制される。
【００３２】
・第二変形例（図６参照）
第一装飾面１４よりも前方に位置する第二装飾面１５が形成された構成とすることにより、立体感のある装飾態様を実現することが可能である。本例は、厚み方向に分割されたものではない遊技板１０（光透過部１０１）の後面に第一装飾面１４が形成されるとともに，前面に第二装飾面１５が形成されたものである。前後方向において、第一装飾面１４と第二装飾面１５の少なくとも一部が重なるように配置されていてもよいし、全く重ならないように配置されていてもよい。
【００３３】
遊技板１０の前面には、遊技領域１０２を構成する遊技部材２０が固定されることになるが、当該遊技部材２０による第二装飾面１５の剥離、変形等を防止するため、遊技部材２０は第二装飾面１５が形成されていない箇所に固定されていることが好ましい（図６（ｂ）参照）。つまり、遊技板１０の前面における遊技部材２０が固定される箇所（およびその周囲）には第二装飾面１５を形成しない方がよい。ただし、遊技板１０の後面に形成される第一装飾面１４により当該箇所に装飾を施すことができる。つまり、遊技部材２０によって装飾の剥離、変形等が生じてしまうことを防止しつつ、所望の装飾態様を構築することが可能である。
【００３４】
・第三変形例（図７参照）
上記第二変形例と異なる手法により、第一装飾面１４よりも前方に位置する第二装飾面１５が形成された構成を実現することが可能である。本例は、遊技板１０を構成する前側部分１１と後側部分１２の間に第一装飾面１４が形成され、前側部分１１の前面（遊技板１０の前面）に第二装飾面１５が形成されたものである。前側部分１１と後側部分１２の間に挟むことで保持することが可能な第一装飾面１４と異なり、第二装飾面１５は前側部分１１の前面に固定（接合）する必要がある。これにより、前後方向にずれて位置する第一装飾面１４と第二装飾面１５が立体感のある装飾態様を構築する。
【００３５】
遊技板１０の前面、すなわち前側部分１１の前面には、遊技領域１０２を構成する遊技部材２０が固定されることになるが、当該遊技部材２０による第二装飾面１５の剥離、変形等を防止するため、遊技部材２０は第二装飾面１５が形成されていない箇所に固定されていることが好ましい。つまり、遊技板１０（前側部分１１）の前面における遊技部材２０が固定される箇所（およびその周囲）には第二装飾面１５を形成しない方がよい。ただし、前側部分１１の後面に形成される第一装飾面１４により当該箇所に装飾を施すことができる。つまり、遊技部材２０によって装飾の剥離、変形等が生じてしまうことを防止しつつ、所望の装飾態様を構築することが可能である。
【００３６】
・第四変形例（図８参照）
上記第二変形例や第三変形例と異なる手法により、第一装飾面１４よりも前方に位置する第二装飾面１５が形成された構成を実現することが可能である。本例は、遊技板１０を構成する前側部分１１と後側部分１２の間に第二装飾面１５が形成され、後側部分１２の後面（遊技板１０の後面）に第一装飾面１４が形成されたものである。前側部分１１と後側部分１２の間に挟むことで保持することができる第二装飾面１５と異なり、第一装飾面１４は後側部分１２の後面に固定（接合）する必要がある。これにより、前後方向にずれて位置する第一装飾面１４と第二装飾面１５が立体感のある装飾態様を構築する。
【００３７】
遊技板１０の前面、すなわち前側部分１１の前面には、遊技領域１０２を構成する遊技部材２０が固定されることになるが、当該面には装飾面が形成されないため、遊技部材２０によって装飾面が剥離、変形等することが防止される。遊技部材２０は、前側部分１１と後側部分１２の間に位置する第二装飾面１５に到達しないようにして固定されているとよい。
【００３８】
・第五変形例（図９参照）
上記第二変形例〜第四変形例と異なる手法により、第一装飾面１４よりも前方に位置する第二装飾面１５が形成された構成を実現することが可能である。本例における遊技板１０は、前側部分１１、当該前側部分１１よりも後方に位置する中間部分１３、および当該中間部分１３よりも後方に位置する後側部分１２を有する。そして、中間部分１３と後側部分１２の間に第一装飾面１４が形成され、前側部分１１と中間部分１３との間に第二装飾面１５が形成される。第一装飾面１４（例えば、装飾面を構成するシート状の部材）は、中間部分１３と後側部分１２の間に挟むことによって保持することができ、第二装飾面１５（例えば、装飾面を構成するシート状の部材）は、前側部分１１と中間部分１３の間に挟むことによって保持することができる。ただし、第一装飾面１４を中間部分１３の後面または後側部分１２の前面に固定（接合）する（接着面を有するシート状の部材を貼付したり、印刷を施したりする）ことによって、第二装飾面１５を前側部分１１の後面または中間部分１３の前面に固定（接合）する（接着面を有するシート状の部材を貼付したり、印刷を施したりする）ことによって構築してもよい。
【００３９】
遊技板１０の前面、すなわち前側部分１１の前面には、遊技領域１０２を構成する遊技部材２０が固定されることになるが、当該面には装飾面が形成されないため、遊技部材２０によって装飾面が剥離、変形等することが防止される。遊技部材２０は、前側部分１１と中間部分１３の間に位置する第一装飾面１４に到達しないようにして固定されているとよい。
【００４０】
なお、上記第二変形例〜第五変形例は、第一装飾面１４と、それよりも前方に位置する第二装飾面１５が形成された例であるが、これ以外の装飾面（第一装飾面１４や第二装飾面１５と前後方向における位置が異なる装飾面）が形成されたものとしてもよい。
【００４１】
以上、本発明の実施形態（および変形例）について詳細に説明したが、本発明は上記実施形態に何ら限定されるものではなく、本発明の要旨を逸脱しない範囲で種々の改変が可能である。
【符号の説明】
【００４２】
１  遊技機
１０  遊技板
１０２  遊技領域
１１  前側部分
１２  後側部分
１３  中間部分
１４  第一装飾面
１５  第二装飾面
２０  遊技部材
【図１】
2017093548.tif 000003
【図２】
2017093548.tif 000004
【図３】
2017093548.tif 000005
【図４】
2017093548.tif 000006
【図５】
2017093548.tif 000007
【図６】
2017093548.tif 000008
【図７】
2017093548.tif 000009
【図８】
2017093548.tif 000010
【図９】
2017093548.tif 000011
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
前方に遊技球が進入する遊技領域が形成される遊技板と、
前記遊技領域を構成する部材であって、前記遊技板の前面に固定された複数の遊技部材と、
を備えた遊技機であって、
前記遊技板は、光透過性を有する材料で形成された光透過部を含み、前記光透過部を通じて視認可能となる第一装飾面が前記遊技板の前面よりも後方に形成されており、
前記遊技板の光透過部の前面には第二装飾面が形成されており、当該遊技板の光透過部の前面における前記第二装飾面が形成されていない領域であって前記第一装飾面と前後方向で重なる連続する領域に前記複数の遊技部材が固定されていることを特徴とする遊技機。
【手続補正２】
【補正対象書類名】明細書
【補正対象項目名】０００５
【補正方法】変更
【補正の内容】
【０００５】
上記課題を解決するためになされた本発明にかかる遊技機は、前方に遊技球が進入する遊技領域が形成される遊技板と、前記遊技領域を構成する部材であって、前記遊技板の前面に固定された複数の遊技部材と、を備えた遊技機であって、前記遊技板は、光透過性を有する材料で形成された光透過部を含み、前記光透過部を通じて視認可能となる第一装飾面が前記遊技板の前面よりも後方に形成されており、前記遊技板の光透過部の前面には第二装飾面が形成されており、当該遊技板の光透過部の前面における前記第二装飾面が形成されていない範囲であって前記第一装飾面と前後方向で重なる連続する範囲に前記複数の遊技部材が固定されていることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
また、第一装飾面とそれよりも前方に位置する第二装飾面とによって立体的な装飾態様を構築することが可能である。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００４１
【補正方法】変更
【補正の内容】
【００４１】
以上、本発明の実施形態（および変形例）について詳細に説明したが、本発明は上記実施形態に何ら限定されるものではなく、本発明の要旨を逸脱しない範囲で種々の改変が可能である。
上記実施形態から得られる具体的手段（遊技機）を以下に列挙する。
手段１にかかる遊技機は、前方に遊技球が進入する遊技領域が形成される遊技板を備えた遊技機であって、前記遊技板は、光透過性を有する材料で形成された光透過部を含み、前記光透過部を通じて視認可能となる第一装飾面が前記遊技板の前面よりも後方に形成されていることを特徴とする。
手段１にかかる遊技機によれば、遊技板の前面よりも後方に光透過部を通じて視認可能となる第一装飾部が形成されているから、遊技板の前面に固定される遊技釘等の遊技部材によって装飾が剥離等してしまうのを防止することが可能である。
手段２にかかる遊技機は、手段１に記載の遊技機において、前記遊技板の後面に前記第一装飾面が形成されていることを特徴とする。
手段２にかかる遊技機のように、遊技板の後面に第一装飾面が形成されている構成とすれば、第一装飾面の構築が容易である。
手段３にかかる遊技機は、手段１に記載の遊技機において、前記遊技板は、前側部分および当該前側部分よりも後方に位置する後側部分を有し、前記前側部分と前記後側部分の間に前記第一装飾面が位置することを特徴とする。
手段３にかかる遊技機のように、遊技板を構成する前側部分と後側部分との間に挟まれるように第一装飾面を形成することができる。シールや印刷等によって装飾面を遊技板に固定するのではなく、装飾シートを前側部分と後側部分の間に挟み込むことによって第一装飾面を固定することも可能である。
手段４にかかる遊技機は、手段１から手段３のいずれかに記載の遊技機において、前記第一装飾面が位置する箇所よりも前方に位置する第二装飾面が形成されていることを特徴とする。
手段４にかかる遊技機のような構成とすれば、第一装飾面とそれよりも前方に位置する第二装飾面とによって立体的な装飾態様を構築することが可能である。
手段５にかかる遊技機は、手段１に記載の遊技機において、前記遊技板は、前側部分、当該前側部分よりも後方に位置する中間部分、および当該中間部分よりも後方に位置する後側部分を有し、前記中間部分と前記後側部分の間に前記第一装飾面が位置し、前記前側部分と前記中間部分との間に第二装飾面が位置することを特徴とする。
手段５にかかる遊技機のように、遊技板を構成する中間部分と後側部分、前側部分と中間部分との間に挟まれるように第一装飾面や第二装飾面を形成し、立体的な装飾態様を構築することが可能である。シールや印刷等によって装飾面を遊技板に固定するのではなく、装飾シートを中間部分と後側部分の間や前側部分と中間部分との間に挟み込むことによって第一装飾面や第二装飾面を固定することも可能である。